(57)【要約】【課題】就寝時に頭部などに掛かる重力を十分に分散させることが可能で、使い易く、快適性や通気性の良い枕を提供する。【解決手段】枕１は、ＴＰＥ材料で形成され、平行な二辺の長さが異なって、大略的に台形となる平面形状の上面１０に、頭部２を載置する凹部１０ａが設けられる。上面１０は、平行な二辺１１，１２のうちの長い辺１１側が短い辺１２側よりも高くなるように傾斜している。上面１０と下面１５との間は、三角形グリッド構造２０で満たされる。三角形グリッド構造２０は、上面１０と下面１５との間を連通し、上面側格子２１が下面側の格子よりも細かくなる二層の構造を有し、長い面１１ａ、短い面１２ａ、および側面１３ａ，１４ａで囲まれている。【選択図】図１
0003234680.tif 000002
【実用新案登録請求の範囲】
【請求項１】
熱可塑性エラストマー材料で形成される枕において、
平行な二辺の長さが異なって、大略的に台形となる平面形状の上面に、頭部を載置する凹部が設けられ、
上面は、平行な二辺のうちの長い辺側が短い辺側よりも高くなるように傾斜しており、
上面から下面に連通し、上面側の格子が下面側の格子よりも細かくなる三角形のグリッド構造を有する、
ことを特徴とする枕。
【請求項２】
子供用として、前記短い辺側で首部を支持する低年齢用と、前記長い辺側で首部を支持する高年齢用との使い分けが可能なことを特徴とする請求項１記載の枕。
【請求項３】
大人用として、前記長い辺側の中央に、前記平面形状の外方に張り出す首サポート部を有することを特徴とする請求項１記載の枕。
【考案の詳細な説明】
【技術分野】
【０００１】
本考案は、寝具の枕に関するものである。
【背景技術】
【０００２】
枕は、人の就寝時に頭部を支える寝具であり、快適性や通気性を追求するものが提供されている（たとえば、特許文献１，２参照）。特許文献１は、低反発ポリウレタン成型物として形成される枕の本体で、人の頭部や首部が密着する表面に網状シートを貼り合わせ、枕カバーに入れた構造の枕を開示している。網状シートには、三角形の格子状に成型したシリコンゴムが貼り合わせられ、心地良い触感と通気性とが高められている。特許文献２は、枕本体をＴＰＥ熱可塑性エラストマー材料で上層構造と下層構造とからなる一体構造に射出成形し、上層構造と下層構造とを連通するメッシュ通気孔が設けられる多目的通気性枕を開示している。メッシュ通気孔は、上下端が開いた正三角形プリズム構造を有する。
【先行技術文献】
【特許文献】
【０００３】
【特許文献１】特開２００５−３１９２５０号公報
【特許文献２】登録実用新案第３２２７２５１号公報
【考案の概要】
【考案が解決しようとする課題】
【０００４】
特許文献１，２には三角形格子のグリッド構造が採用されている。従来から枕によく採用されているのは、六角形や正方形の格子によるグリッド構造である。グリッド構造は、格子点によって圧力を分散する仕組みであり、角の数が少ないほど、頭部を支える点の数が増えるため、六角形や正方形のグリッド構造に比較して、三角形格子のグリッド構造を採用することによって、頭部にかかる重力を従来の形状より分散させることが可能になると期待される。しかしながら、特許文献１のグリッド構造は、枕の本体の表面に貼り合わせた表面的なものであり、重力の分散が不十分である。特許文献２のグリッド構造は、枕本体に二層設けられ、重力の分散は改善されていると考えられる。枕本体には、両側面から中心方向に窪む「第１の溝」が設けられている。この「第１の溝」を設けるのは、特許文献２の明細書の段落［００２２］に、「うつ伏せで寝たり、携帯電話で遊んだり、本を読んだりするときに手と腕を伸ばし通気性枕の下方に置き、うつ伏せで寝ても疲れない。」と記載されている効果を得るためであるとされている。しかしながら、そのような単なる就寝の範囲を越える多目的を果たすために、枕本体が大きくなることが想定され、重くなって取り扱いが不便になり、就寝用の枕として使い難く、製造コストも上昇すると考えられる。
【０００５】
本考案の目的は、就寝時に頭部などに掛かる重力を十分に分散させることが可能で、使い易く、快適性や通気性の良い枕を提供することである。
【課題を解決するための手段】
【０００６】
本考案は、熱可塑性エラストマー材料で形成される枕において、
平行な二辺の長さが異なって、大略的に台形となる平面形状の上面に、頭部を載置する凹部が設けられ、
上面は、平行な二辺のうちの長い辺側が短い辺側よりも高くなるように傾斜しており、
上面から下面に連通し、上面側の格子が下面側の格子よりも細かくなる三角形のグリッド構造を有する、
ことを特徴とする枕である。
【０００７】
また本考案は、子供用として、前記短い辺側で首部を支持する低年齢用と、前記長い辺側で首部を支持する高年齢用との使い分けが可能なことを特徴とする。
【０００８】
また本考案は、大人用として、前記長い辺側の中央に、前記平面形状の外方に張り出す首サポート部を有することを特徴とする。
【考案の効果】
【０００９】
本考案の枕は、上面側の格子が下面側の格子よりも細かくなる三角形のグリッド構造を有するので、就寝時に頭部などに掛かる重力を十分に分散させることが可能である。平面形状が大略的に台形なので形状が単純で、使い易い。グリッド構造は、上面から下面に連通するので、快適性や通気性を良好にすることができる。
【００１０】
また本考案の枕は、子供用として、成長の段階に合わせて使い分けることができる。
【００１１】
また本考案の枕は、大人用として、首サポート部で首部を快適に支持することができる。
【図面の簡単な説明】
【００１２】
【図１】図１は、本考案の実施例１である枕１の使用状態を簡略化して示す図面代用写真である。
【図２】図２は、枕１に用いられる三角形グリッド構造の上面側格子２１と下面側格子２２との使用状態を示した図面代用写真である。
【図３】図３は、枕１の平面図である。
【図４】図４は、枕１の底面図である。
【図５】図５は、枕１を正面視した図面代用写真である
【図６】図６は、枕１を底面視した図面代用写真である。
【図７】図７は、枕１を右側面視した図面代用写真である。
【図８】図８は、枕１を左側面視した図面代用写真である。
【図９】図９は、本考案の実施例２である枕３１の構成を示す図面代用写真である。
【図１０】図１０は、枕３１の使用状態を示す図面代用写真である。
【考案を実施するための形態】
【００１３】
以下、図１から図８で本考案の実施例１、図９および図１０で本考案の実施例２についてそれぞれ説明する。各図について、対応する部分には同一の参照符を付し、重複する説明を省略したり、説明対象の図には記載されていない部分について、他の図に記載されている参照符を付して言及したりする場合がある。
【実施例１】
【００１４】
図１は、本考案の枕１の構成と使用状態を簡略化して示す。枕１は、ＴＰＥ（Thermoplastic elastomer）すなわち熱可塑性エラストマー材料で形成され、平行な二辺の長さが異なって、大略的に台形となる平面形状の上面１０に、頭部２を載置する凹部１０ａが設けられる。上面１０は、平行な二辺１１，１２のうちの長い辺１１側が短い辺１２側よりも高くなるように傾斜している。二辺１１，１２間には、側辺１３，１４が設けられる。長短の二辺１１，１２および側辺１３，１４は、上面１０と下面１５とを繋ぐ。上面１０と下面１５との間は、三角形グリッド構造２０で満たされる。三角形グリッド構造２０は、上面１０と下面１５との間を連通し、上面側格子２１が下面側の格子よりも細かくなる二層の構造を有し、長い面１１ａ、短い面１２ａ、および側面１３ａ，１４ａで囲まれている。
【００１５】
図２は、三角形グリッド構造２０の上面側格子２１と下面側格子２２との荷重を受けての使用状態を示す。上面側格子２１は、小さくて肉厚も薄い三角形格子なので、頭部２の荷重を十分に分散し、快適なフィット感を実現することができる。下面側格子２２は、大きくて肉厚が厚いので、上面側格子２１を十分に支えることができる。なお、枕１には、高い抗菌・防菌力を持つ酸化亜鉛を配合しているので、加湿や乾燥などの変化に耐え、長時間の抗菌性を保持することができる。また、枕１は、丸洗いも可能になり、素材に速乾性があるので、いつでも清潔に使用することができる。なお、枕１は、肌に触りの良い１００％ポリエステルなどを素材とするカバーを被せて使用することもできる。
【００１６】
図３、図４、図５、図６、図７および図８は、枕１について、平面図および底面図と、ならびに正面視、背面視、右側面視および左側面視した構成とを、それぞれ示す。なお、三角形グリッド構造２０に関し、図示の便宜上、図３では上面側格子２１のみを示し、図４では上面側格子２１を破線で示す。枕１は、子供用として、低い短い辺１２側で首部を支持するたとえば３〜６歳の低年齢用と、高い長い辺１１側で首部を支持する７〜１２歳の高年齢用との使い分けが可能である。低年齢用としては、成長中の子供の脊椎が真っ直ぐ成長できるようにサポートする。高年齢用としては、脊椎が高速成長期に猫背を防ぐ。このように向きによって高さ調節が可能なので、子供の成長をサポートすることができる。なお、子供用として、たとえば短い辺１２の長さＷは５０ｃｍ程度で高さＨ２は４ｃｍ程度、側面１３，１４の長さＬは３０ｃｍ程度、長い辺１１側の高さＨ１は７ｃｍ程度とする。このような枕１は、２ｋｇ程度の重さがあり、一晩中安定して頭部２を支え続け、朝起きたら枕１から頭が外れているようなことが起こり難くなる。
【実施例２】
【００１７】
図９は、本考案の実施例２である枕３１の構成を示す。枕３１は、実施例１である枕１と基本的には同一であるけれども、上面４０に頭部２を支える凹部４０ａの他に長い辺４１側に張り出す首サポート部４０ｂを有する点が異なる。大人用としては、男性用と女性用とを分けることもできる。男性用は、たとえば短い辺４２の長さは５５ｃｍ程度で高さは８ｃｍ程度、側辺４３，４４の長さは３５ｃｍ程度、長い辺４１側の高さは１０ｃｍ程度とする。女性用は、たとえば短い辺４２の長さは５２ｃｍ程度で高さは８ｃｍ程度、側辺４３，４４の長さは３５ｃｍ程度、長い辺４１側の高さは９ｃｍ程度とする。女性は、出産後のホルモン変化や日常的なハイヒールの着用により、男性に比べて脊椎に負担がかかりがちとされているので、負担を軽減する形状にしている。
【００１８】
図１０は、枕３１の使用状態を示す。枕３１に頭部２を載せた状態で、ベッドマットや敷き布団、すなわち下面４５と首部３の角度Ａが約５度になるのが理想的と言われている。頭部２の隙間の深さは人によって異なるけれども、一般に１〜６ｃｍであり、この深さに合った高さＳの枕３１を選ぶと首や肩への負担が少なくて眠り易いとされている。
【符号の説明】
【００１９】
１、３１  枕    ハンドスキャナハウジング
２    頭部
３    首部
１０，４０  上面
１０ａ，４０ａ  凹部
１１，４１  長い辺
１２，４２  短い辺
１３，１４；４３，４４  側辺
１５，４５  下面
２０  三角形グリッド構造
２１  上面側格子
２２  下面側格子
４０ｂ  首サポート部
【図１】
0003234680.tif 000003
【図２】
0003234680.tif 000004
【図３】
0003234680.tif 000005
【図４】
0003234680.tif 000006
【図５】
0003234680.tif 000007
【図６】
0003234680.tif 000008
【図７】
0003234680.tif 000009
【図８】
0003234680.tif 000010
【図９】
0003234680.tif 000011
【図１０】
0003234680.tif 000012